(57)【要約】【課題】ＴＶ電話通信を相互に接続するテレビ電話中継システムに関し、安定した品質で、容易に管理が行えるテレビ電話中継システムを提供することを目的とする。【解決手段】テレビ電話機能を有する第１の端末装置とテレビ電話機能を有する第２の端末装置とを電話回線網を介して中継するテレビ電話中継システムであって、前記第１の端末装置の電話番号と前記第２の端末装置の電話番号との対応を記憶しており、前記第１の端末装置から着信があると、前記第１の端末装置に対応する前記第２の端末装置の電話番号を取得し、取得した前記第２の端末装置の電話番号に発信を行い、前記第２の端末装置との通信が確立すると、前記第１の端末装置と前記第２の端末装置とを中継する中継部を含む。【選択図】図１
2010178365.tif 000002
【特許請求の範囲】
【請求項１】
テレビ電話機能を有する第１の端末装置とテレビ電話機能を有する第２の端末装置とを電話回線網を介して中継するテレビ電話中継システムであって、
前記第１の端末装置の電話番号と前記第２の端末装置の電話番号との対応を記憶しており、前記第１の端末装置から着信があると、前記第１の端末装置に対応する前記第２の端末装置の電話番号を取得し、取得した前記第２の端末装置の電話番号に発信を行い、前記第２の端末装置との通信が確立すると、前記第１の端末装置と前記第２の端末装置とを中継する中継部を含むことを特徴とするテレビ電話中継システム。
【請求項２】
前記中継部は、
前記第１の端末装置と前記第２の端末装置とを中継する中継装置と、
前記第１の端末装置の電話番号と前記第２の端末装置の電話番号との対応を記憶したデータベースと、
前記中継装置からの前記第１の端末装置の電話番号に対する前記第２の端末装置の電話番号の要求に基づいて前記データベースを参照して、前記データベースから前記第１の端末装置の電話番号に対する前記第２の端末装置の電話番号を取得し、前記中継装置に提供するサーバとを有し、
前記中継装置は、前記第１の端末装置から着信があると、前記第１の端末装置の電話番号を前記サーバに通知し、
前記サーバは、前記中継装置から通知された前記第１の端末装置の電話番号に基づいて前記データベースを参照し、前記データベースから前記中継装置から通知された前記第１の端末装置の電話番号に対応する第２の端末装置の電話番号を取得し、前記中継装置に通知し、
前記中継装置は、前記サーバから前記第１の端末装置に対応する前記第２の端末装置の電話番号を取得すると、取得した前記第２の端末装置の電話番号に発信を行い、前記第２の端末装置との通信が確立すると、前記第１の端末装置と前記第２の端末装置とを中継することを特徴とする請求項１記載のテレビ電話中継システム。
【請求項３】
前記サーバは、インターネット網を介して通信を可能とされ、前記データベースの前記第１の端末装置の電話番号と前記第２の端末装置の電話番号との対応を設定可能とされたことを特徴とする請求項２記載のテレビ電話中継システム。
【請求項４】
テレビ電話機能を有する第１の端末装置とテレビ電話機能を有する第２の端末装置とを電話回線網を介して中継するテレビ電話中継システムであって、
前記第１の端末装置の電話番号と前記第２の端末装置の電話番号との対応を記憶しており、予め設定され、前記第１の端末装置と前記第１の端末装置に対応する前記第２の端末装置とを接続する所定の接続時刻になると、前記第１の端末装置の電話番号と前記第２の端末装置との対応を確認し、前記第１の端末装置の電話番号及び前記第１の端末装置に対応する前記第２の端末装置の電話番号に発信を行い、前記第１の端末装置及び前記第２の端末装置の各々の通信が確立すると、前記第１の端末装置と前記第２の端末装置とを中継する中継部を含むことを特徴とするテレビ電話中継システム。
【請求項５】
前記中継部は、
前記第１の端末装置と前記第２の端末装置とを中継する中継装置と、
前記接続時刻及び前記第１の端末装置の電話番号と前記第２の端末装置の電話番号との対応を記憶したデータベースと、
前記接続時刻になると、前記中継装置に前記第１の端末装置と前記第２の端末装置との中継を指示するサーバとを有し、
前記サーバは、前記データベースを参照し、前記接続時刻になると、前記第１の端末装置の電話番号と前記第１の端末装置の電話番号に対応する前記第２の端末装置の電話番号を取得し、前記中継装置に通知し、
前記中継装置は、前記サーバから通知された前記第１の端末装置の電話番号に発信するとともに、前記サーバから通知された前記第２の端末装置の電話番号に発信し、前記第１の端末装置及び前記第２の端末装置の各々の通信が確立すると、前記第１の端末装置と前記第２の端末装置とを中継することを特徴とする請求項４記載のテレビ電話中継システム。
【請求項６】
前記サーバは、インターネット網を介して通信を可能とされ、前記データベースの前記第１の端末装置の電話番号と前記第２の端末装置の電話番号との対応及び前記接続時刻を設定可能とされたことを特徴とする請求項５記載のテレビ電話中継システム。
【発明の詳細な説明】
【技術分野】
【０００１】
本発明は、テレビ電話中継システムに係り、特に、ＴＶ電話通信を相互に接続するテレビ電話中継システムに関する。
【背景技術】
【０００２】
近年、例えば、Ｗ−ＣＤＭＡなどの第３世代携帯電話の発達に伴い、無線テレビ電話端末装置の普及が促進されている。現在、第３世代携帯電話による携帯電話回線網を用いた無線テレビ電話システムの利用形態としては、二人のユーザのうち一方のユーザの携帯電話が他方のユーザの携帯電話に直接発信し、他方のユーザの携帯電話が着信し、応答することにより通信を確立していた。
【０００３】
一方、インターネットの普及が進み、低価格な接続料金によるデータベースへのアクセスが一般的になっている。さらに、インターネットの普及に呼応して携帯電話にでもインターネットへアクセスし、ＷＷＷによる閲覧、データ送信、電子メールなどの送受信が可能となっている。
【先行技術文献】
【特許文献】
【０００４】
【特許文献１】特開２００４−０１５７９４号公報
【発明の概要】
【発明が解決しようとする課題】
【０００５】
しかるに、従来の携帯電話による携帯電話回線網を用いた無線テレビ電話システムでは、直接携帯電話同士がテレビ電話通信を行うため、個人的な使用しか行えなかった。
【０００６】
また、インターネットを利用してテレビ電話などを行う場合には、通信速度が保証されておらず、テレビ電話の品質を保持できないなどの問題点があった。
【０００７】
本発明は上記の点に鑑みてなされたもので、安定した品質で、容易に管理が行えるテレビ電話中継システムを提供することを目的とする。
【課題を解決するための手段】
【０００８】
上記の課題を解決するため、本発明にあっては、請求項１に記載されるように、テレビ電話機能を有する第１の端末装置とテレビ電話機能を有する第２の端末装置とを電話回線網を介して中継するテレビ電話中継システムであって、前記第１の端末装置の電話番号と前記第２の端末装置の電話番号との対応を記憶しており、前記第１の端末装置から着信があると、前記第１の端末装置に対応する前記第２の端末装置の電話番号を取得し、取得した前記第２の端末装置の電話番号に発信を行い、前記第２の端末装置との通信が確立すると、前記第１の端末装置と前記第２の端末装置とを中継する中継部を含むテレビ電話中継システムを要旨としている。
【０００９】
また、請求項２に記載されるように、前記中継部は、前記第１の端末装置と前記第２の端末装置とを中継する中継装置と、前記第１の端末装置の電話番号と前記第２の端末装置の電話番号との対応を記憶したデータベースと、前記中継装置からの前記第１の端末装置の電話番号に対する前記第２の端末装置の電話番号の要求に基づいて前記データベースを参照して、前記データベースから前記第１の端末装置の電話番号に対する前記第２の端末装置の電話番号を取得し、前記中継装置に提供するサーバとを有し、前記中継装置は、前記第１の端末装置から着信があると、前記第１の端末装置の電話番号を前記サーバに通知し、前記サーバは、前記中継装置から通知された前記第１の端末装置の電話番号に基づいて前記データベースを参照し、前記データベースから前記中継装置から通知された前記第１の端末装置の電話番号に対応する第２の端末装置の電話番号を取得し、前記中継装置に通知し、前記中継装置は、前記サーバから前記第１の端末装置に対応する前記第２の端末装置の電話番号を取得すると、取得した前記第２の端末装置の電話番号に発信を行い、前記第２の端末装置との通信が確立すると、前記第１の端末装置と前記第２の端末装置とを中継するようにすることができる。
【００１０】
また、請求項３に記載されるように、前記サーバは、インターネット網を介して通信を可能とされ、前記データベースの前記第１の端末装置の電話番号と前記第２の端末装置の電話番号との対応を設定可能とされるようにすることができる。
【００１１】
また、請求項４に記載されるように、テレビ電話機能を有する第１の端末装置とテレビ電話機能を有する第２の端末装置とを電話回線網を介して中継するテレビ電話中継システムであって、前記第１の端末装置の電話番号と前記第２の端末装置の電話番号との対応を記憶しており、予め設定され、前記第１の端末装置と前記第１の端末装置に対応する前記第２の端末装置とを接続する所定の接続時刻になると、前記第１の端末装置の電話番号と前記第２の端末装置との対応を確認し、前記第１の端末装置の電話番号及び前記第１の端末装置に対応する前記第２の端末装置の電話番号に発信を行い、前記第１の端末装置及び前記第２の端末装置の各々の通信が確立すると、前記第１の端末装置と前記第２の端末装置とを中継する中継部を含むテレビ電話中継システムとして構成することができる。
【００１２】
また、請求項５に記載されるように、前記中継部は、前記第１の端末装置と前記第２の端末装置とを中継する中継装置と、前記接続時刻及び前記第１の端末装置の電話番号と前記第２の端末装置の電話番号との対応を記憶したデータベースと、前記接続時刻になると、前記中継装置に前記第１の端末装置と前記第２の端末装置との中継を指示するサーバとを有し、前記サーバは、前記データベースを参照し、前記接続時刻になると、前記第１の端末装置の電話番号と前記第１の端末装置の電話番号に対応する前記第２の端末装置の電話番号を取得し、前記中継装置に通知し、前記中継装置は、前記サーバから通知された前記第１の端末装置の電話番号に発信するとともに、前記サーバから通知された前記第２の端末装置の電話番号に発信し、前記第１の端末装置及び前記第２の端末装置の各々の通信が確立すると、前記第１の端末装置と前記第２の端末装置とを中継するようにすることができる。
【００１３】
また、請求項６に記載されるように、前記サーバは、インターネット網を介して通信を可能とされ、前記データベースの前記第１の端末装置の電話番号と前記第２の端末装置の電話番号との対応及び前記接続時刻を設定可能とされるようにすることができる。
【発明の効果】
【００１４】
本発明によれば、安定した品質で、容易に管理が行えるテレビ電話中継システムを提供することができる。
【図面の簡単な説明】
【００１５】
【図１】本発明の一実施例のブロック構成図である。
【図２】第１のテレビ電話機能付携帯端末装置１１１のブロック構成図である。
【図３】中継装置１４１のブロック構成図である。
【図４】サーバ１４２のブロック構成図である。
【図５】データベース１４３のデータ構成図である。
【図６】第１の中継機能のフローチャートを示す。
【図７】第２の中継機能のフローチャートである。
【図８】第３の中継機能のフローチャートである。
【図９】通話予約動作を説明するための図である。
【発明を実施するための形態】
【００１６】
〔構成〕
図１は本発明の一実施例のシステム構成図を示す。
【００１７】
本実施例のテレビ電話システム１００は、テレビ電話機能付携帯端末装置１１１、１１２及び中継システム１１３が携帯電話回線網１１４及び／又は一般回線網１１５、並びに、インターネット網１１６を介して通信可能な構成とされている。
【００１８】
〔テレビ電話機能付携帯端末装置１１１、１１２〕
テレビ電話機能付携帯端末装置１１１は、例えば、カメラ付携帯電話機であり、映像及び音声データを、携帯電話網１１３を通じて他のテレビ電話機能付携帯端末装置１１２と送受信し、テレビ電話が可能な構成とされている。
【００１９】
図２はテレビ電話機能付携帯端末装置１１１のブロック構成図を示す。
【００２０】
テレビ電話機能付携帯端末装置１１１は、マイク１２１、スピーカ１２２、音声処理部１２３、撮像部１２４、画像処理部１２５、通信部１２６、制御部１２７、メモリ１２８、操作部１２９、表示部１３０、電池パック１３１などから構成されている。
【００２１】
マイク１２１は、通話時などに音声を電気信号に変換する。スピーカ１２２は、通話時などに電気信号を音声に変換する。マイク１２１及びスピーカ１２２は、音声処理部１２３に接続されている。
【００２２】
音声処理部１２３は、マイク１２１で変換された音声電気信号をディジタルデータに変換してディジタル処理し、制御部１２７に供給する。また、音声処理部１２３は、制御部１２７から供給される音声データをアナログ信号に変換して、スピーカ１２２を駆動する。
【００２３】
撮像部１２４は、ＣＣＤなどの画像センサから構成されており、画像を電気信号に変換する。撮像部１２４から出力された画像信号は、画像処理部１２５に供給される。画像処理部１２５は、撮像部１２４から供給された画像信号をディジタルデータに変換してディジタル処理する。画像処理部１２５で処理された画像データは、制御部１２７に供給される。
【００２４】
通信部１２６は、携帯電話網に設置された基地局と無線通信を行う。通信部１２６により映像及び音声データを携帯電話網と送受信することにより、テレビ電話を可能とする。
【００２５】
制御部１２７は、メモリ１２８に記憶されたプログラムに基づいて処理を実行する。メモリ１２８は、ＲＯＭ、ＲＡＭなどから構成されており、制御部１２７で実行される処理のプログラムが記憶されている。
【００２６】
操作部１２９は、テンキーなどから構成されており、相手先電話番号の入力など各種入力操作に用いられる。
【００２７】
表示部１３０は、例えば、液晶ディスプレイから構成されており、制御部１２７により制御されて、文字、画像などを表示する。
【００２８】
電池パック１３１は、例えば、リチウムイオン電池などの充電可能な二次電池から構成されており、テレビ電話機能付携帯端末装置１１１全体の電源として用いられる。
【００２９】
〔中継システム１１３〕
次に中継システム１１３について説明する。
【００３０】
中継システム１１３は、中継装置１４１及びサーバ１４２並びにデータベース１４３から構成されている。
【００３１】
中継装置１４１は、一般回線網１１５に接続され、第１のテレビ電話機能付携帯端末装置１１１及び第２のテレビ電話機能付携帯端末装置１１２とテレビ電話通信が可能な構成とされている。また、中継装置１４１は、ＬＡＮ（local area network）を介してサーバ１４２と通信可能な構成とされている。
【００３２】
図３は中継装置１４１のブロック構成図を示す。
【００３３】
中継装置１４１は、切替部１５１、処理部１５２、記憶装置１５３、通信部１５４から構成されている。
【００３４】
切替部１５１は、一般回線網１１５に接続され、回線を切り替え可能とされている。処理部１５２は、記憶装置１５３に記憶されたプログラムに基づいて切替部１５１を制御する。
【００３５】
記憶装置１５３は、メモリ、ハードディスクドライブ、可換式ディスクドライブなどから構成されており、プログラム及びデータなどが記憶されている。また、処理部１５２の作業用記憶領域として用いられる。通信部１５４は、サーバ１４２との通信を行うための回路であり、ＬＡＮとの通信制御を行う。
【００３６】
図４はサーバ１４２のブロック構成図を示す。
【００３７】
サーバ１４２は、通信部１６１、処理部１６２、記憶装置１６３、通信部１６４から構成されている。
【００３８】
通信部１６１は、中継装置１４１との通信を制御する回路である。処理部１６２は、ＣＰＵなどから構成されており、記憶装置１６３に記憶されたプログラムに基づいて処理を実行する。記憶装置１６３は、メモリ、ハードディスクドライブ、可換式ディスクドライブなどから構成されており、プログラム及びデータなどが記憶されている。
【００３９】
また、処理部１６２の作業用記憶領域として用いられる。通信部１６４は、インターネット網１１６との通信制御を行い、インターネット網１１６を介して第１のテレビ電話機能付携帯端末装置１１１との接続を可能としている。
【００４０】
図５はデータベース１４３のデータ構成図を示す。
【００４１】
データベース１４３は、接続時刻Ｄ１、通話元電話番号Ｄ２、通話先電話番号Ｄ３、通信モードＤ４、制限時間Ｄ５から構成される。
【００４２】
接続時刻Ｄ１には、第１のテレビ電話機能付携帯端末装置１１１と第２のテレビ電話機能付携帯端末装置１１２との接続時刻が設定される。通話元電話番号Ｄ２には、通話元、すなわち、第１のテレビ電話機能付携帯端末装置１１１の電話番号が登録される。通話先電話番号Ｄ３は、通話先、すなわち、第２のテレビ電話機能付携帯端末装置１１２の電話番号が登録される。通信モードＤ４は、通信モードなどの情報が登録される。制限時間Ｄ５には、通信の制限時間が登録される。
【００４３】
〔動作〕
〔第１の中継機能〕
図６に第１の中継機能のフローチャートを示す。
【００４４】
まず、ステップＳ１−１で第１のテレビ電話機能付携帯端末装置１１１から携帯電話網１１４及び一般回線網１１５を介して中継システム１１３に発信する。中継システム１１３は、ステップＳ１−２で第１のテレビ電話機能付携帯端末装置１１１からの発信を着信する。
【００４５】
中継装置１４１は、ステップＳ１−３でサーバ１４２に、発信情報に含まれる発信元の電話番号などをキーとしてデータベース１４３を参照することを要求する。サーバ１４２は、ステップＳ１−４でデータベース１４３から発信元電話番号に対応する相手先電話番号を取得する。サーバ１４２は、ステップＳ１−５で中継装置１４１に取得した相手先電話番号に通知する。
【００４６】
中継装置１４１は、ステップＳ１−６で相手先電話番号を取得すると、ステップＳ１−７で通知された相手先電話番号に発信を行う。ステップＳ１−８で相手先電話番号である第２のテレビ電話機能付携帯端末装置１１２が着信すると、ステップＳ１−９で第２のテレビ電話機能付携帯端末装置１１２と中継装置１４１との間でテレビ電話通信が確立する。次に、ステップＳ１−１０で、中継装置１４１は第１のテレビ電話機能付携帯端末装置１１１と第２のテレビ電話機能付携帯端末装置１１２との間でテレビ電話通信を確立する。
【００４７】
以上により、第１のテレビ電話機能付携帯端末装置１１１とそれと対をなす第２のテレビ電話機能付携帯端末装置１１２との間でテレビ電話による通話が可能となる。
【００４８】
〔第２の中継機能〕
図７は第２の中継機能のフローチャートを示す。
【００４９】
まず、ステップＳ２−１で第１のテレビ電話機能付携帯端末装置１１１から携帯電話網１１４及び一般回線網１１５を介して中継装置１４１に発信する。中継装置１４１は、ステップＳ２−２で第２のテレビ電話機能付携帯端末装置１１１からの発信を待機状態とし、ステップＳ２−３で第１のテレビ電話機能付携帯端末装置１１１の電話番号をサーバ１４２に通知する。
【００５０】
一方、ステップＳ２−４で第２のテレビ電話機能付携帯端末装置１１２から携帯電話網１１４及び一般回線網１１５を介して中継装置１４１に発信する。中継システム１１３は、ステップＳ２−５で第２のテレビ電話機能付携帯端末装置１１２からの発信を待機状態とし、ステップＳ２−６で第２のテレビ電話機能付携帯端末装置１１２の電話番号をサーバ１４２に通知する。
待機状態とする。
【００５１】
サーバ１４２は、ステップＳ２−７で中継装置１４１から電話番号を受信すると、データベース１４３を参照して対をなす電話番号を取得する。サーバ１４２はステップＳ２−８で対をなす電話番号からの着信が行われていれば、中継装置１４１に対をなす電話番号を通知する。中継装置１４１は、対をなす第１のテレビ電話機能付携帯端末装置１１１と第２のテレビ電話機能付携帯端末装置１１２とを中継する。
【００５２】
以上により、第１のテレビ電話機能付携帯端末装置１１１とそれと対をなす第２のテレビ電話機能付携帯端末装置１１２との間でテレビ電話による通話が可能となる。
【００５３】
なお、第２の中継機能では、待機状態が発生するが、第１のテレビ電話機能付携帯端末装置１１２又は第２のテレビ電話機能付携帯端末装置１１２の両方から発信が行われるまで、着信しないように制御することにより、待機状態では電話料金の課金が行われないようにすることができる。
【００５４】
〔第３の中継機能〕
図８は第３の中継機能のフローチャートを示す。
【００５５】
まず、サーバ１４２は、ステップＳ３−１でデータベース１４３を参照して、現在時刻とデータベース１４３に記憶された接続時刻とを比較し、ステップＳ３−２で現在時刻に対応する接続時刻があれば、ステップＳ３−３で対をなす第１のテレビ電話機能付携帯端末装置１１１と第２のテレビ電話機能付携帯端末装置１１２の電話番号を取得して、中継装置１４１に通知する。
【００５６】
中継装置１４１は、ステップＳ３−４でサーバ１４２から受信した第２のテレビ電話機能付携帯端末装置１１２と対をなす第１のテレビ電話機能付携帯端末装置１１１の電話番号に発信を行う。また、ステップＳ３−５でサーバ１４２から受信した第１のテレビ電話機能付携帯端末装置１１１と対をなす第２のテレビ電話機能付携帯端末装置１１２の電話番号に発信を行う。
【００５７】
第１のテレビ電話機能付携帯端末装置１１１は、ステップＳ３−６で中継装置１４１からの発信を着信すると、ステップＳ３−７で中継装置１４１に応答する。第２のテレビ電話機能付携帯端末装置１１２は、ステップＳ３−８で中継装置１４１からの発信を着信すると、ステップＳ３−９で中継装置１４１に応答する。
【００５８】
中継装置１４１は、ステップＳ３−１０で第１のテレビ電話機能付携帯端末装置１１１と対をなす第２のテレビ電話機能付携帯端末装置１１２から応答があり、テレビ電話通信が確立すると、ステップＳ３−１１で第１のテレビ電話機能付携帯端末装置１１１とそれと対をなす第２のテレビ電話機能付携帯端末装置１１２との通信を中継する。
【００５９】
以上により、第１のテレビ電話機能付携帯端末装置１１１とそれと対をなす第２のテレビ電話機能付携帯端末装置１１２との間でテレビ電話による通話が可能となる。
【００６０】
〔予約機能〕
なお、サーバ１４２は、インターネット網１１６を介して通信可能な構成とされており、第１のテレビ電話機能付携帯端末装置１１１及び第２のテレビ電話機能付携帯端末装置１１２からの予約が可能な構成とされている。
【００６１】
図９は通話予約動作を説明するための図を示す。
【００６２】
第１のテレビ電話機能付携帯端末装置１１１により予約メニューを選択し、予約を始めると、第１のテレビ電話機能付携帯端末装置１１１の表示部１３０に、例えば、図９（Ａ）に示すような第１の入力画面２１０を表示させる。第１の入力画面２１０は、通話元の電話番号を入力する入力部２１１、決定ボタン２１２から構成される。入力部２１１に通話元の電話番号を入力し、決定ボタン２１２をクリックすると、通話元電話番号が設定される。
【００６３】
第１のテレビ電話機能付携帯端末装置１１１は決定ボタン２１２がクリックされると、第１のテレビ電話機能付携帯端末装置１１１の表示部１３０に、図９（Ｂ）に示すような第２の入力画面２２０を表示させる。第２の入力画面２２０は、入力部２２１、通信モード選択部２２２、制限時間設定部２２３、決定ボタン２２４から構成されている。入力部２２１に通話先電話番号を入力し、通信モード選択部２２２で通信モードを選択し、制限時間設定部２２３に制限時間を設定した後に、決定ボタン２２４をクリックすると、通話先電話番号、通信モード、制限時間などが設定される。
【００６４】
第１のテレビ電話機能付携帯端末装置１１１は、決定ボタン２２２がクリックされると、表示部１３０に、図９（Ｃ）に示すような予約完了画面２３０を表示する。予約完了画面２３０は、通話元（発信元）電話番号表示部２３１、通話先（発信先）電話番号表示部２３２、転送ボタン２３３、削除ボタン２３４から構成されている。
【００６５】
第１のテレビ電話機能付携帯端末装置１１１は転送ボタン２３３がクリックされると、第１の入力画面２１０及び第２の入力画面２２０で入力された通話元電話番号、通話先電話番号、通信モード、制限時間などの情報がインターネット網１１６を介してサーバ１４２に供給される。サーバ１４２は第１のテレビ電話機能付携帯端末装置１１１から通話元電話番号、通話先電話番号、通信モード、制限時間などの情報が供給されると、供給された情報をデータベース１４３に登録する。サーバ１４２は、データベース１４３に登録された情報に基づいて中継装置１４１を制御し、第１のテレビ電話機能付携帯端末装置１１１と第２のテレビ電話機能付携帯端末装置１１２とを制御する。
【００６６】
〔効果〕
本実施例によれば、携帯電話回線網１１４及び一般回線網１１５を用い、テレビ電話通信を中継することにより、インターネット網１１６を用いたテレビ電話通話に比較して、品質が保証されたテレビ電話通信を行うことができる。また、中継装置１４１を介して通信を確立しているので、電話会社による課金とは別に独自の課金を行うことができる。
【００６７】
〔適用例〕
本実施例のテレビ電話システム１００は、例えば、携帯電話を用いた、経営コンサルティング、心理療法カウンセリング、語学学習、法律相談などに適用可能である。
【００６８】
〔その他〕
なお、本実施例では、第１のテレビ電話機能付携帯端末装置１１１からサーバ１４２にインターネット網１１６を介して直接アクセスするようにしたが、図１に示すようにｗｗｗサーバ１４４を介してサーバ１４３、データベース１４３に登録を行うようにしてもよい。
【００６９】
また、通信を確立させる過程で、両端末装置或いは一方の端末装置がテレビ電話機能を事前にあるいは着信時に拒否し、通常の音声電話端末になっている場合は、両者に対して音声の中継を行なうようにしてもよい。なお、このとき、通信を行う以前から音声電話としてデータベースに登録されている場合も同様とする。
【符号の説明】
【００７０】
１００  テレビ電話システム
１１１  第１のテレビ電話機能付携帯端末装置
１１２  第２のテレビ電話機能付携帯端末装置
１１３  中継システム
１１４  携帯電話回線網、１１５  一般回線網、１１６  インターネット網
１４１  中継装置、１４２  サーバ、１４３  データベース
【図１】
2010178365.tif 000003
【図２】
2010178365.tif 000004
【図３】
2010178365.tif 000005
【図４】
2010178365.tif 000006
【図５】
2010178365.tif 000007
【図６】
2010178365.tif 000008
【図７】
2010178365.tif 000009
【図８】
2010178365.tif 000010
【図９】
2010178365.tif 000011